(57)【要約】      （修正有）【課題】操作部が背面に設けられている場合でも容易に操作できるデジタルフォトフレームを提供する。【解決手段】装置本体４の前面に設けられ、画像又は情報を表示する表示部６と、表示部６の表示態様を制御する制御部と、装置本体４の背面に設けられ、制御部に対して指示を与えるタッチパネル２０とを備える。タッチパネル２０上でタッチ位置が移動したときの軌跡に対応する軌跡表示を、表示部６上に表示し、又、表示部６の縦横比とタッチパネル２０の縦横比に基づいて定まる表示部６上の位置に表示する。【選択図】図４
2010008790.tif 000002
【特許請求の範囲】
【請求項１】
装置本体の前面に設けられ、画像又は情報を表示する表示部と、
前記表示部の表示態様を制御する制御部と、
前記装置本体の背面に設けられ、前記制御部に対して指示を与えるタッチパネルと
を備えることを特徴とするデジタルフォトフレーム。
【請求項２】
前記タッチパネルは、前記表示部の面積よりも小さい面積を有することを特徴とする請求項１記載のデジタルフォトフレーム。
【請求項３】
前記制御部は、前記タッチパネル上のタッチ位置に対応する位置表示を、前記表示部上に表示することを特徴とする請求項１又は請求項２記載のデジタルフォトフレーム。
【請求項４】
前記位置表示は、前記表示部の縦横比と前記タッチパネルの縦横比に基づいて定まる前記表示部上の位置に表示されることを特徴とする請求項３記載のデジタルフォトフレーム。
【請求項５】
前記制御部は、前記タッチパネル上でタッチ位置が移動したときの軌跡に対応する軌跡表示を、前記表示部上に表示することを特徴とする請求項１乃至請求項４の何れか一項に記載のデジタルフォトフレーム。
【請求項６】
前記軌跡表示は、前記表示部の縦横比と前記タッチパネルの縦横比に基づいて定まる形状で表示されることを特徴とする請求項５記載のデジタルフォトフレーム。
【請求項７】
前記制御部は、前記表示部に選択対象を表示することを特徴とする請求項１乃至請求項６の何れか一項に記載のデジタルフォトフレーム。
【請求項８】
前記選択対象は、前記位置表示が前記選択対象上に位置しているときに、前記タッチパネルによって更にタッチ操作が検出されることにより選択されることを特徴とする請求項７記載のデジタルフォトフレーム。
【請求項９】
前記更なるタッチ操作が、タッチしている前記タッチパネル上のタッチ位置をタッチしたまま更に強く押圧する操作であり、前記強く押圧する操作により、選択された前記選択対象が実行されることを特徴とする請求項８記載のデジタルフォトフレーム。
【請求項１０】
前記選択対象は、前記位置表示が前記選択対象上に位置しているときに、前記タッチパネルによってタッチ操作の解除が検出されることにより選択されることを特徴とする請求項７記載のデジタルフォトフレーム。
【請求項１１】
前記選択対象は、前記軌跡表示が前記選択対象を囲むように形成されることにより選択されることを特徴とする請求項７記載のデジタルフォトフレーム。
【請求項１２】
装置本体の前面に設けられ、画像又は情報を表示する表示部と、
前記装置本体の背面に設けられた操作部と、
前記操作部と同一の形状を有する操作部表示を、前記操作部の位置に対応する前記表示部上の位置に表示する表示制御部と
を備えることを特徴とするデジタルフォトフレーム。
【請求項１３】
前記操作部表示は、前記操作部が操作されたときに表示されることを特徴とする請求項１２記載のデジタルフォトフレーム。
【請求項１４】
前記操作部表示は、前記操作部の操作に対応する操作表示を、前記操作部の位置に対応する前記表示部上の位置に表示することを特徴とする請求項１２又は請求項１３記載のデジタルフォトフレーム。
【請求項１５】
前記操作部は、タッチパネルまたは操作キーであることを特徴とする請求項１２乃至１４の何れか一項に記載のデジタルフォトフレーム。
【発明の詳細な説明】
【技術分野】
【０００１】
本発明は、デジタルフォトフレームに関するものである。
【背景技術】
【０００２】
観賞用画像を電気的に表示する表示部を備えたデジタルフォトフレームが知られている（例えば、特許文献１参照）。
【特許文献１】特開２００１−６７００４号公報
【発明の開示】
【発明が解決しようとする課題】
【０００３】
ところで、デジタルフォトフレームにおいては、装置本体の前面には表示部のみが設けられ、設定操作等の際に使用する操作部は背面に設けられていることが多く、操作が困難であった。
【０００４】
本発明の目的は、操作部が背面に設けられている場合でも容易に操作できるデジタルフォトフレームを提供することである。
【課題を解決するための手段】
【０００５】
本発明のデジタルフォトフレームは、装置本体の前面に設けられ、画像又は情報を表示する表示部と、前記表示部の表示態様を制御する制御部と、前記装置本体の背面に設けられ、前記制御部に対して指示を与えるタッチパネルとを備えることを特徴とする。
【０００６】
また、本発明のデジタルフォトフレームは、装置本体の前面に設けられ、画像又は情報を表示する表示部と、前記装置本体の背面に設けられた操作部と、前記操作部と同一の形状を有する操作部表示を、前記操作部の位置に対応する前記表示部上の位置に表示する表示制御部とを備えることを特徴とする。
【発明の効果】
【０００７】
本発明のデジタルフォトフレームによれば、装置本体の前面に設けられた表示部を見ながら背面に設けられたタッチパネル等の操作部を容易に操作することができ、デジタルフォトフレームの操作性を向上させることができる。
【発明を実施するための最良の形態】
【０００８】
以下、図面を参照して本発明の実施の形態に係るデジタルフォトフレームについて説明する。なお、一般に、デジタルフォトフレームとしては机等の上に立て掛けて設置するものや、壁に掛けて設置するもの等が存在するが、本発明の実施の形態としては、机等に立て掛けて設置するもの（電子写真立て）を例にして説明する。図１は、本発明の第１の実施の形態に係るデジタルフォトフレームの外観を示す斜視図である。デジタルフォトフレーム２（以下、ＤＰＦ２という。）は、ガラスやプラスチック等からなる装置本体４を備え、装置本体４の前面には、観賞用画像や時刻等の情報を電気的に表示する表示部としてのＬＣＤパネル６が設けられている。また、装置本体４の前面には、音楽や音声が出力されるスピーカ８及び、図示しないＤＰＦ２の操作用リモコンから出力される赤外線を検出する赤外線検出部１０が設けられている。装置本体４の一側面には、画像や音楽等のデータが記憶されたメモリカードが挿入されるメモリカードスロット１２、ＵＳＢ機器が接続されるＵＳＢポート１４及びネットワークケーブルが接続されるネットワーク端子１６が設けられている。
【０００９】
図２は、この実施の形態に係るデジタルフォトフレームの背面の構成を示す図である。装置本体４の背面には、ＤＰＦ２の機能設定やＬＣＤパネル６の表示設定の際に使用する操作部としてのタッチパネル２０、ＤＰＦ２の電源のオン／オフ状態を切り替える電源スイッチ２２及びＤＰＦ２を設置する際に使用する支持部２４が設けられている。タッチパネル２０は、装置本体４の前面に設けられたＬＣＤパネル６の面積の略１／２の面積を有し、ＤＰＦ２の使用者が指で触れた位置（タッチ位置）を検出することができる。支持部２４は、装置本体４の中央に設けられた台座部２４ａ及び台座部２４ａに取り付けられた脚部２４ｂから形成されている。なお、脚部２４ｂは、装置本体４の背面に対する角度を変更できるように、台座部２４ａへの取り付け部を中心として、図２の紙面に垂直な面内において回転可能に取り付けられている。従って、脚部２４ｂを回転させることで、ＤＰＦ２を設置したときの設置角度を変化させることができる。また、支持部２４は、脚部２４ｂが長手方向に伸縮可能に形成されると共に、台座部２４ａが装置本体４の背面に対して回転可能に取り付けられていることが望ましい。このような構成とすることで、例えば台座部２４ａを図２に示す状態から反時計回りに９０度回転し、脚部２４ｂを延長させることで、ＤＰＦ２を縦置きに設置することができる。
【００１０】
図３は、この実施の形態に係るデジタルフォトフレームのシステム構成を示すブロック図である。ＤＰＦ２の各部を統括的に制御する制御部としてのＣＰＵ３０には、上述の赤外線検出部１０、メモリカードスロット１２、ＵＳＢポート１４、ネットワーク端子１６及び電源スイッチ２２が接続されている。また、ＣＰＵ３０には、ＤＰＦ２の機能の設定や、画像や音楽等のデータが記憶される内部メモリ３２が接続されている。
【００１１】
また、ＣＰＵ３０にはタッチ検出部３４、表示制御部３６、音声制御部３８及び変換部４０が接続されている。タッチ検出部３４は、タッチパネル２０上のＤＰＦ２の使用者によってタッチされた位置であるタッチ位置やタッチの強さを検出し、検出した情報をタッチ検出信号としてＣＰＵ３０に出力する。表示制御部３６は、ＬＣＤパネル６に表示される画像や情報等の表示制御を行い、また、音声制御部３８は、スピーカ８から出力される音楽や音声の再生制御を行なう。また、変換部４０は、ＬＣＤパネル６に表示されるメニュー画面がタッチパネル２０の形状と異なる場合には、タッチパネル２０上におけるタッチ位置を、ＬＣＤパネル６上のカーソル６４（図４（ｂ）参照）の表示位置に変換する。
【００１２】
ここで、ＣＰＵ３０が実行する基本的なシステム制御について説明する。ＤＰＦ２の電源がオン状態にあるときは、ＣＰＵ３０は、メモリカードスロット１２に挿入されているメモリカードや、ＵＳＢポート１４に接続されているメモリ機器に記憶されている所定の画像データを、直接あるいは内部メモリ３２に記憶させた後に読み出して表示制御部３６へ出力する。また、ＣＰＵ３０は、ネットワーク端子１６を介して接続されているネットワークから送信される画像や情報のデータを、直接あるいは内部メモリ３２に記憶させた後に読み出して表示制御部３６へ出力する。表示制御部３６は、入力された画像や情報のデータをＬＣＤパネル６に電気的に表示する。また、タッチパネル２０の操作がタッチ検出部３４によって検出された場合、またはリモコンの操作が赤外線検出部１０によって検出された場合には、ＣＰＵ３０は表示制御部３６に制御信号を出力し、表示制御部３６は、当該信号を受けてＬＣＤパネル６に、種々の機能設定を行なうメニュー画面を表示させる。なお、ＣＰＵ３０による音楽や音声データの再生制御についても、音声制御部３８を介して同様に実行される。
【００１３】
次に、図４〜図８を用いて、この実施の形態に係るデジタルフォトフレームのタッチパネルの操作について説明する。なお、図４〜図８では、装置本体４の前面にＬＣＤパネル６のみを、装置本体４の背面にタッチパネル２０のみを図示している。図４は、この実施の形態に係るデジタルフォトフレームにおいて、タッチパネルの操作に基づいてメニュー画面が表示されたときの状態を示す図であり、図４（ａ）は装置本体を背面側から見た図、図４（ｂ）は装置本体を前面側から見た図である。また、図５は、この実施の形態に係るタッチパネル上でタッチしながら指を移動させたときの状態を示す図であり、図５（ａ）は装置本体を背面側から見た図、図５（ｂ）は装置本体を前面側から見た図である。ＤＰＦ２の電源がオン状態のときに、ＤＰＦ２の使用者の指５０によってタッチパネル２０がタッチされると（図４（ａ））、タッチパネル２０が備えるタッチ検出部３４がＣＰＵ３０に対してタッチ検出信号を出力する。タッチ検出信号を受信したＣＰＵ３０は、表示制御部３６を介して、ＬＣＤパネル６にメニュー画面６０を表示させる（図４（ｂ））。メニュー画面６０内には、ＤＰＦ２の機能の設定や表示モードの選択等を実行する際に選択する選択対象として複数の選択項目６２ａ，６２ｂ，６２ｃが表示される。ここで、メニュー画面６０の表示形状は、装置本体４の背面に設けられたタッチパネル２０の形状と同一であり、ＬＣＤパネル６上における表示位置は、タッチパネル２０の装置本体４の背面における位置に対応する位置、即ち、装置本体４の前面側から見て、メニュー画面６０とタッチパネル２０が重なっているように見える位置である。なお、図４（ｂ）に示すように、ＬＣＤパネル６に予め画像が表示されている場合には、メニュー画面６０は当該画像上に重畳的に表示されてもよい。
【００１４】
ＣＰＵ３０は、タッチ検出信号に含まれているタッチ位置情報に基づいて、タッチパネル２０上のタッチ位置に対応するＬＣＤパネル６上の位置に、位置表示としてのカーソル６４を表示させる。ここで、タッチパネル上のタッチ位置に対応するＬＣＤパネル６上の位置とは、装置本体４の前面側から見て、カーソル６４とタッチ位置が重なっているように見える位置である。また、タッチ検出部３４は、指５０によってタッチパネル２０がタッチされている間はタッチ検出信号を連続して出力するため、ＤＰＦ２の使用者が、タッチパネル２０をタッチしながら指５０を移動させた場合には、メニュー画面６０に表示されるカーソル６４も指５０の移動に同期してメニュー画面６０上を移動する。即ち、図５（ａ）に示すように、ＤＰＦ２の使用者が、タッチパネル２０をタッチしながら、図中の矢印で示す方向に指５０を移動させると、メニュー画面６０に表示されているカーソル６４は、図５（ｂ）に示すように、メニュー画面６０上を、図中の矢印で示す方向に指５０の移動と同期して移動する。従って、ＤＰＦ２の使用者は、メニュー画面６０に表示されているカーソル６４を、装置本体４の背面側にある自分の指５０をあたかもＬＣＤパネル６を透かして見ながら移動させているように実感できるため、タッチパネル２０の操作を容易に行うことができる。なお、表示制御部３６は、メニュー画面６０上においてカーソル６４が移動した経路の軌跡を表示するようにしてもよい。
【００１５】
次に、図６を用いて、メニュー画面６０に表示されている選択項目６２ａ，６２ｂ，６２ｃの中から所望の選択項目を選択する第１の方法について説明する。図６は、この実施の形態に係るタッチパネルにおいて、所望の選択項目を選択する第１の方法を示す図であり、図６（ａ）は装置本体を背面側から見た図、図６（ｂ）は装置本体を前面側から見た図である。なお、所望の選択項目として選択項目６２ｂを選択する場合を例として説明する。ＤＰＦ２の使用者が、タッチパネル２０の任意の位置を指５０でタッチしてメニュー画面６０を表示させると、当該位置（一旦指５０を離した場合には再びタッチした位置）に対応するメニュー画面６０上の位置にカーソル６４が表示される。ＤＰＦ２の使用者が、選択項目６２ｂを選択すべく、表示されているカーソル６４を見ながら、図６（ａ）に示す矢印の方向に指５０を移動させると、カーソル６４は、図６（ｂ）に示す矢印の方向に指５０の移動に同期して移動する。即ち、ＤＰＦ２の使用者は、メニュー画面６０に表示されているカーソル６４を、装置本体４の背面側にある自分の指５０をあたかもＬＣＤパネル６を透かして見ながら移動させるようにして、選択項目６２ｂの表示位置まで移動させることができる。
【００１６】
カーソル６４を選択項目６２ｂの表示位置まで移動させた後、当該選択項目を選択する際には、ＤＰＦ２の使用者は、タッチしているタッチパネル２０上のタッチ位置において、一旦指５０を離してすぐに当該位置を瞬間的にタッチするようなタップ操作や、当該位置をタッチしたまま更に強く押圧する押圧操作等の更なるタッチ操作を実行すればよい。
【００１７】
また、カーソル６４を選択項目６２ｂの表示位置まで移動させた後、タッチしているタッチパネル２０上のタッチ位置から単に指５０を離してタッチ操作を解除するだけで、当該選択項目が選択されるようにしてもよい。一般に、卓上用デジタルフォトスタンドなどは形が小さく軽量であるので、このような操作でメニュー画面６０に表示されている選択項目を選択できるようにすると、不用意にデジタルフォトスタンドを倒すこと等を回避することができる。
【００１８】
次に、図７を用いて、メニュー画面６０に表示されている選択項目６２ａ，６２ｂ，６２ｃの中から所望の選択項目を選択する第２の方法について説明する。図７は、この実施の形態に係るタッチパネルにおいて、所望の選択項目を選択する第２の方法を示す図であり、図７（ａ）は装置本体を背面側から見た図、図７（ｂ）は装置本体を前面側から見た図である。メニュー画面６０及びカーソル６４を表示させた後に、ＤＰＦ２の使用者が、表示されているカーソル６４を見ながら、図７（ａ）に示す矢印の方向に指５０を移動させてタッチパネル２０上で一周すると、カーソル６４は、指５０の移動に同期してメニュー画面６０の選択項目６２ｂの周りを一周し、図７（ｂ）に示す軌跡表示６６を形成する。このようにして軌跡表示６６が形成されると、当該軌跡表示内にある選択項目６２ｂが選択される。この方法によれば、ＤＰＦ２の使用者は、メニュー画面６０に表示されているカーソル６４を、装置本体４の背面側にある自分の指５０をあたかもＬＣＤパネル６を透かして見ながら移動させるようにして、選択項目６２ｂの周りに軌跡表示６６を形成することができる。従って、操作が容易になると共に、不用意にデジタルフォトスタンドを倒すこと等を回避することができる。
【００１９】
次に、この実施の形態に係るデジタルフォトフレームにおいて、タッチパネルの形状とは異なる形状のメニュー画面が表示されたときのタッチパネルの操作について説明する。図８は、この実施の形態に係るデジタルフォトフレームにおいて、タッチパネルの形状とは異なる形状のメニュー画面が表示されたときの状態を示す図であり、図８（ａ）は装置本体を背面側から見た図、図８（ｂ）は装置本体を前面側から見た図である。図８（ｂ）に示すように、ＬＣＤパネル６には、タッチパネル２０の形状と異なる形状のメニュー画面として、ＤＰＦ２が備える内部メモリ３２や、メモリカードスロット１２に挿入されているメモリカードに記憶されている複数の画像が縮小されたサムネイル画像７２によって一覧表示されたアルバム画面７０が表示されている。ここで、アルバム画面７０は、一度に多くのサムネイル画像７２を表示すべく、ＬＣＤパネル６の略全面に亘って表示されており、タッチパネル２０の形状より大きい表示となっている。従って、アルバム画面７０に表示されるカーソル６４は、タッチパネル２０上のタッチ位置に対応するＬＣＤパネル６上の位置ではなく、変換部４０によって変換された位置に表示される。即ち、ＣＰＵ３０がタッチ検出部３４から出力されたタッチ検出信号を変換部４０に送信すると、変換部４０は、既知のタッチパネル２０の縦横比及びアルバム画面７０の縦横比に基づいて、タッチ検出信号に含まれるタッチ位置情報をＬＣＤパネル６上においてカーソル６４が表示される位置情報に変換する。具体的には、タッチパネル２０の横の長さをＡ、縦の長さをＢとし、タッチパネル２０の図８（ａ）における左下の角を原点として、横（右）方向にｘ座標、縦（上）方向にｙ座標を取り、そして、アルバム画面７０の横の長さをＣ、縦の長さをＤとし、アルバム画面７０の図８（ｂ）における右下の角を原点に横（左）方向にｘ座標、縦（上）方向にｙ座標を取れば、タッチパネル２０上において座標（ａ，ｂ）で表されるタッチ位置は、アルバム画面７０上において座標（Ｃ×（ａ／Ａ），Ｄ×（ｂ／Ｂ））で表される位置に変換される。従って、ＤＰＦ２の使用者が、タッチパネル２０をタッチしながら指５０を図８（ａ）に矢印で示す方向に移動させた場合には、アルバム画面７０上に表示されたカーソル６４が、図８（ｂ）に矢印で示す方向に移動する。従って、使用者の指５０の動きとアルバム画面７０に表示されているカーソル６４の移動は縦横比が異なるものの、ＤＰＦ２の使用者は、カーソル６４を、装置本体４の背面側にある自分の指５０をあたかもＬＣＤパネル６を透かして見ながら移動させているように実感できるため、タッチパネル２０の操作を容易に行うことができる。
【００２０】
また、アルバム画面７０上に表示されている選択項目としてのサムネイル画像７２から、一の画像を全画面表示させるべく所望のサムネイル画像を選択する際には、当該サムネイル画像の表示位置にカーソル６４を移動した後に、タップ操作や押圧操作等の追加的なタッチ操作や、タッチ操作の解除を行なえばよい。なお、アルバム画面７０上が表示されている場合にも、カーソル６４が移動した経路の軌跡が表示されるようにしてもよい。このような場合には、アルバム画面７０上に表示される軌跡表示は、変換部４０によって上述の変換が施された形状で表示され、また、所望のサムネイル画像を囲むように軌跡表示が形成されることで、当該サムネイル画像が選択される。
【００２１】
この第１の実施の形態に係るデジタルフォトフレームによれば、装置本体の背面に設けられたタッチセンサ上のタッチ位置に対応するメニュー画面上の位置、または、タッチセンサ上のタッチ位置が変換されたメニュー画面上の位置に位置表示を表示させることができる。従って、使用者は、装置本体の前面に設けられたＬＣＤパネルを見ながら装置本体の背面側にあるタッチパネルの操作を容易に行うことができ、デジタルフォトフレームの操作性を向上させることができる。
【００２２】
次に、本発明の第２の実施の形態に係るデジタルフォトフレームについて説明する。なお、第２の実施の形態に係るデジタルフォトフレーム１０２（以下、ＤＰＦ１０２という。）は、装置本体の背面に設けられた操作部として操作キー８０が用いられている点、及びＣＰＵ３０が変換部４０を有していない点で第１の実施の形態に係るＤＰＦ２とは異なるが、これらの点以外は、第１の実施の形態に係るＤＰＦ２と同一の構成を備えている。従って、第２の実施の形態の説明においては、第１の実施の形態に係るＤＰＦ２と同一の構成については説明を省略する。また、この第２の実施の形態に係るＤＰＦ１０２の説明においては、第１の実施の形態に係るＤＰＦ２と同一の構成には第１の実施の形態で用いた符号と同一の符号を付して説明を行なう。
【００２３】
図９は、この実施の形態に係るデジタルフォトフレームにおいて、操作キーの操作を行なっているときの状態を示す図であり、図９（ａ）は装置本体を背面側から見た図、図９（ｂ）は装置本体を前面側から見た図である。なお、図９では、装置本体４の前面にＬＣＤパネル６のみを、装置本体４の背面に操作キー８０のみを図示している。ＤＰＦ１０２の電源がオン状態のときに、ＤＰＦ１０２の使用者の指５０によって操作キー８０の任意のキーがタッチされると（図９（ａ））、操作キー８０に接続されているタッチ検出部３４からＣＰＵ３０に対してタッチ検出信号が出力される。当該タッチ検出信号を受信したＣＰＵ３０は、表示制御部３６を介して、ＬＣＤパネル６に操作キー表示８２及びメッセージ画面８４を表示させる（図９（ｂ））。ここで、操作キー表示８２の表示形状は、装置本体４の背面に設けられた操作キー８０の形状と同一であり、ＬＣＤパネル６上における表示位置は、装置本体４の背面における操作キー８０の設置位置に対応する位置、即ち、装置本体４の前面側から見て、操作キー表示８２と操作キー８０が重なっているように見える位置である。また、メッセージ画面８４内には、ＤＰＦ１０２の機能の設定や表示モードの選択等を実行する際に選択する複数の選択項目が、操作キー８０の各キーに対応して表示される。
【００２４】
操作キー表示８２が表示された後、図９（ａ）に示すように、ＤＰＦ１０２の使用者が、操作キー８０の所望のキーを指５０によりタッチまたは半押しすると、操作キー表示８２の当該キーに対応するキー表示が、他のキー表示とは異なる色や明るさで発光する。従って、ＤＰＦ１０２の使用者は、実際にタッチしているキーを装置本体４の背面側を見ることなく確認することができる。即ち、ＤＰＦ１０２の使用者は、操作キー８０を、装置本体４の背面側にある自分の指５０をあたかもＬＣＤパネル６を透かして見ながら操作しているように実感できるため、操作キー８０の操作を容易に行うことができる。なお、タッチしているキーの操作を決定する場合には、キーを完全に押下すればよい。
【００２５】
この第２の実施の形態に係るデジタルフォトフレームによれば、装置本体の背面に設けられた操作キーの設置位置に対応する位置に操作キー表示を表示させることができる。従って、使用者は、装置本体の前面に設けられたＬＣＤパネルを見ながら装置本体の背面側にある操作キーの操作を容易に行うことができ、デジタルフォトフレームの操作性を向上させることができる。
【００２６】
次に、本発明の第３の実施の形態に係るデジタルフォトフレームについて説明する。なお、第３の実施の形態に係るデジタルフォトフレーム２０２（以下、ＤＰＦ２０２という。）は、装置本体の背面に複数のタッチパネルが設けられている点で第１の実施の形態に係るＤＰＦ２とは異なるが、これらの点以外は、第１の実施の形態に係るＤＰＦ２と同一の構成を備えている。従って、第３の実施の形態の説明においては、第１の実施の形態に係るＤＰＦ２と同一の構成については説明を省略する。また、この第３の実施の形態に係るＤＰＦ２０２の説明においては、第１の実施の形態に係るＤＰＦ２と同一の構成には第１の実施の形態で用いた符号と同一の符号を付して説明を行なう。
【００２７】
図１０は、この実施の形態に係るデジタルフォトフレームにおいて、タッチパネルの操作を行なっているときの状態を示す図であり、図１０（ａ）は装置本体を背面側から見た図、図１０（ｂ）は装置本体を前面側から見た図である。なお、図１０では、装置本体４の前面にＬＣＤパネル６のみを、装置本体４の背面にタッチパネル１２０〜１２６のみを図示している。図１０（ａ）に示すように、ＤＰＦ２０２は、装置本体４の背面にタッチパネル１２０，１２２，１２４及び１２６の４つのタッチパネルを有している。ＤＰＦ２０２の電源がオン状態のときに、ＤＰＦ２０２の使用者の指５０によってタッチパネル１２０〜１２６の中の一つ（図１０（ａ）ではタッチパネル１２０）がタッチされると、当該タッチパネルに接続されているタッチ検出部３４からＣＰＵ３０に対してタッチ検出信号が出力される。当該タッチ検出信号を受信したＣＰＵ３０は、表示制御部３６を介して、ＬＣＤパネル６に、メニュー画面表示１６０，１６２，１６４及び１６６の中のタッチされたタッチパネルに対応する一つ（図１０（ｂ）ではメニュー画面１６０）を表示させる。即ち、タッチパネル１２０がタッチされた場合には、メニュー画面１６０が表示され、以下同様に、タッチパネル１２２がタッチされればメニュー画面１６２、タッチパネル１２４がタッチされればメニュー画面１６４、そしてタッチパネル１２６がタッチされればメニュー画面１６６が表示される。
【００２８】
ここで、メニュー画面１６０，１６２，１６４及び１６６は、それぞれタッチパネル１２０，１２２，１２４及び１２６の形状と同一の形状で表示される。また、メニュー画面１６０，１６２，１６４及び１６６は、それぞれタッチパネル１２０，１２２，１２４及び１２６の装置本体４の背面における設置位置に対応するＬＣＤパネル６上の位置、即ち、装置本体４の前面側から見て、メニュー画面１６０，１６２，１６４及び１６６が、それぞれタッチパネル１２０，１２２，１２４及び１２６と重なっているように見える位置に表示される。また、タッチされたタッチパネルに対応して表示されたメニュー画面上には、当該タッチパネル上のタッチ位置に対応するメニュー画面上の位置にカーソル６４が表示される。ここで、タッチパネル上のタッチ位置に対応するメニュー画面上の位置とは、装置本体４の前面側から見て、カーソル６４とタッチ位置が重なっているように見える位置である。従って、ＤＰＦ２０２の使用者は、メニュー画面１６０〜１６６に表示されているカーソル６４を、装置本体４の背面側にある自分の指５０をあたかもＬＣＤパネル６を透かして見ながら移動させているように実感できるため、タッチパネル１２０〜１２６の操作を容易に行うことができる。なお、メニュー画面に表示された選択項目の選択方法や、操作しているタッチパネルの形状と異なる形状のメニュー画面が表示されているときの操作方法等は、上述の第１の実施の形態に係るデジタルフォトフレームに係る方法と同様であるため省略する。
【００２９】
この第３の実施の形態に係るデジタルフォトフレームによれば、装置本体の背面に設けられた４つのタッチパネルの中から操作に使用するタッチパネルを一つ選択することができるため、例えば左ききの使用者でも容易に操作することができ、また、装置本体の背面の中央に設けられた支持部を回転させて縦置きに設置した場合にも容易に操作することができる。従って、デジタルフォトフレームの操作性を向上させることができる。
【００３０】
なお、この第３の実施の形態に係るデジタルフォトフレームでは、装置本体の背面に設けられた操作部として４つのタッチパネルを設けているが、操作部の数はいくつでもよい。また、４つのタッチパネルの替わりに４つの操作キーを設けてもよい。この場合には、タッチされた操作キーに対応する操作キー表示がＬＣＤパネルに表示され、その後は第２の実施の形態に係るデジタルフォトフレームと同様の操作を行うことができる。また、装置本体に重力センサ等を設けて、横置き、縦置き等の設置状態に応じて使用を受け付ける（アクティブ化される）タッチパネルが限定されるようにしてもよい。
【００３１】
また、上述の実施の形態に係るデジタルフォトフレームでは、机等の上に立て掛けて設置するものを例として説明しているが、壁に掛けて設置するもの等、他の形態のものでもよい。
【図面の簡単な説明】
【００３２】
【図１】第１の実施の形態に係るデジタルフォトフレームの外観を示す斜視図である。
【図２】第１の実施の形態に係るデジタルフォトフレームの背面の構成を示す図である。
【図３】第１の実施の形態に係るデジタルフォトフレームのシステム構成を示すブロック図である。
【図４】第１の実施の形態に係るデジタルフォトフレームにおいてメニュー画面が表示されたときの状態を示す図である。
【図５】第１の実施の形態に係るタッチパネル上でタッチしながら指を移動させたときの状態を示す図である。
【図６】第１の実施の形態に係るタッチパネルにおいて所望の選択項目を選択する第１の方法を示す図である。
【図７】第１の実施の形態に係るタッチパネルにおいて所望の選択項目を選択する第２の方法を示す図である。
【図８】第１の実施の形態に係るデジタルフォトフレームにおいてタッチパネルの形状とは異なる形状のメニュー画面が表示されたときの状態を示す図である。
【図９】第２の実施の形態に係るデジタルフォトフレームにおいて操作キーの操作を行なっているときの状態を示す図である。
【図１０】第３の実施の形態に係るデジタルフォトフレームにおいてタッチパネルの操作を行なっているときの状態を示す図である。
【符号の説明】
【００３３】
２，１０２，２０２…デジタルフォトフレーム（ＤＰＦ）、４…装置本体、６…ＬＣＤパネル、２０，１２０，１２２，１２４，１２６…タッチパネル、２４…支持部、３０…ＣＰＵ、３４…タッチ検出部、３６…表示制御部、４０…変換部、５０…指、６０，１６０，１６２，１６４，１６６…メニュー画面、６２ａ，６２ｂ，６２ｃ…選択項目、６４…カーソル、６６…軌跡表示、７０…アルバム画面、７２…サムネイル画像、８０…操作キー、８２…操作キー表示
【図１】
2010008790.tif 000003
【図２】
2010008790.tif 000004
【図３】
2010008790.tif 000005
【図４】
2010008790.tif 000006
【図５】
2010008790.tif 000007
【図６】
2010008790.tif 000008
【図７】
2010008790.tif 000009
【図８】
2010008790.tif 000010
【図９】
2010008790.tif 000011
【図１０】
2010008790.tif 000012